(57)【特許請求の範囲】
【請求項１】
植栽基盤の外面にマーキング用の取付部を取り付けるための取付構造であって、
前記植栽基盤の外面である設置面に沿って配置される取付ベースであって、第一固定部を有する取付ベースと、
前記取付ベースに対して、前記取付ベースを挟む二つの空間のうち前記設置面側の空間とは反対側の空間から、前記設置面と直交する直交方向に沿って取り付けられる前記取付部であって、前記第一固定部と相互に固定可能な第二固定部を有する前記取付部と、を備え、
前記取付ベースは、
前記設置面に沿って設置されるベースパネルであって、前記取付部が取り付けられるベースパネルと、
前記ベースパネルから前記直交方向に沿って突出するように設けられた隔壁であって、前記植栽基盤に植栽された植栽の少なくとも一部を内部に収容可能な空隙部を区画するための隔壁であり、当該隔壁の先端が、前記ベースパネルに取り付けられた前記取付部のいずれの部分よりも、前記ベースパネルから離れる向きに突出する隔壁と、を備え、
前記第一固定部は、前記隔壁であり、
前記ベースパネルは、前記植栽基盤に植栽された植栽が前記空隙部に向けて通過可能な開口である植物介在路を有し、
前記取付部の前記第二固定部の一部を、前記ベースパネルを挟む二つの空間のうち、前記設置面側の空間とは反対側の空間から前記設置面側の空間に、前記ベースパネルの前記植物介在路を介して挿通させることが可能であると共に、当該挿通させた状態において前記第二固定部を前記第一固定部と相互に固定させることが可能であり、
前記取付部が前記取付ベースに取り付けられている状態において、
前記第一固定部及び前記第二固定部が相互に固定されている固定状態の場合には、前記隔壁に前記第二固定部が係止していることにより、前記直交方向に沿って前記取付部の取り外しが不可能であり、
前記第一固定部及び前記第二固定部が相互に固定されていない固定解除状態の場合には、前記隔壁に前記第二固定部が係脱していることにより、前記直交方向に沿って前記取付部の取り外しが可能であり、
前記取付部に対して、前記直交方向とは異なる固定解除方向への力が作用した際には、前記第一固定部及び前記第二固定部の相互の状態は、前記固定状態から前記固定解除状態に切り換わる、
取付構造。
【請求項２】
前記設置面は水平面に沿った面であり、
前記取付部は、前記取付ベースに対して上方から取り付けられ、
前記取付部の上端面の中央部は、上方に向けて隆起した形状である、
請求項１に記載の取付構造。
【請求項３】
前記第二固定部は、前記取付部から前記ベースパネルに向けて突出した爪部であり、
前記爪部及び前記隔壁の相互の状態は、前記爪部を前記隔壁に係止させることにより前記固定状態となり、前記爪部を前記隔壁から係脱させることにより前記固定解除状態となる、
請求項１又は２に記載の取付構造。
【請求項４】
前記爪部は、挟持空間を挟んで対向配置された右爪部及び左爪部であり、これら右爪部と左爪部の各々の先端部には折り返し部が設けられており、
前記右爪部及び前記左爪部を前記ベースパネルに対して前記直交方向に沿って押し込み、前記右爪部と前記左爪部の各々の前記折り返し部を前記設置面側の空間に前記植物介在路を介して挿通させることにより、前記右爪部と前記左爪部の相互間の前記挟持空間に前記隔壁を挟み込んだ状態であって、前記右爪部と前記左爪部の各々の前記折り返し部を前記隔壁の縁部に係止させた状態とすることで、前記右爪部及び前記左爪部と前記隔壁を前記固定状態とすることが可能であり、
前記右爪部及び前記左爪部を、前記隔壁から離れる方向である前記固定解除方向に回転させ、前記右爪部と前記左爪部の各々の前記折り返し部を前記設置面側の空間から前記植物介在路を介して引き抜くことにより、前記右爪部と前記左爪部の各々の前記折り返し部を前記隔壁の縁部から係脱させた状態とすることで、前記右爪部及び前記左爪部と前記隔壁を前記非固定状態とすることが可能である、
請求項３に記載の取付構造。
【請求項５】
前記爪部の先端部には折り返し部が設けられており、
前記爪部を、前記ベースパネルに対して前記直交方向に沿って押し込み、前記爪部の前記折り返し部を前記設置面側の空間に前記植物介在路を介して挿通させ、前記ベースパネルに沿った平面内において第１方向に回転させることにより、前記爪部の前記折り返し部を前記隔壁の縁部に係止させた状態とすることで、前記爪部と前記隔壁を前記固定状態とすることが可能であり、
前記爪部を、前記ベースパネルに沿った平面内において前記第１方向とは逆の第２方向である前記固定解除方向に回転させることにより、前記爪部の前記折り返し部を前記隔壁の縁部から係脱させた状態とすることで、前記爪部と前記隔を前記非固定状態とすることが可能である、
請求項３に記載の取付構造。
【請求項６】
前記爪部の先端部には折り返し部が設けられており、
前記爪部を、前記ベースパネルに対して前記直交方向に沿って押し込み、前記爪部の前記折り返し部を前記設置面側の空間に前記植物介在路を介して挿通させ、前記ベースパネルに沿った第１方向にスライドさせることにより、前記爪部の前記折り返し部を前記隔壁の縁部に係止させた状態とすることで、前記爪部と前記隔壁を前記固定状態とすることが可能であり、
前記爪部を、前記ベースパネルに沿った前記第１方向とは逆の第２方向である前記固定解除方向にスライドさせることにより、前記爪部の前記折り返し部を前記隔壁の縁部から係脱させた状態とすることで、前記爪部と前記隔壁を前記非固定状態とすることが可能である、
請求項３に記載の取付構造。
【発明の詳細な説明】
【技術分野】
【０００１】
本発明は、取付構造に関する。
【背景技術】
【０００２】
近年、都市部におけるヒートアイランド現象の抑制等を目的として、マンションやビルの屋上や壁面に植物を植生するための植生基盤が設けられることがある。ここで、このような植生基盤上には、植生基盤用マーカーが用いられることがある（例えば、特許文献１参照）。この植生基盤用マーカーは、例えば、複数の植生基盤用マーカーを全体として幾何学形状、文字、記号等を呈する配置で植生基盤に取り付けることにより、情報伝達や意匠表現を目的として使用される。具体的には、緑化駐車場では、各駐車スペースの間に線状に植生基盤用マーカーを配置することで駐車スペースの区切りを形成している。
【先行技術文献】
【特許文献】
【０００３】
【特許文献１】特開２０１３−１９８４４６号公報
【発明の概要】
【発明が解決しようとする課題】
【０００４】
ここで、上記の特許文献１に開示されたような植生基盤用マーカーは、ユニット芝に対して直交する方向に押し込まれて取り付けられ、植生基盤用マーカーとユニット芝との摩擦力により固定される。そのため、この摩擦力が小さすぎると、十分にユニット芝に対して固定できず長期使用時に抜け落ちてしまう可能性がある。逆に、植生基盤用マーカーが車や人に踏まれてさらに押し込まれることで摩擦力が大きくなりすぎてしまうと、取り外しが困難となってしまい、無理に取り外そうとすると破損してしまう可能性があった。そこで、上記の植生基盤用マーカーの如き取付部が、何等かの外的要因により不本意に取り外されてしまう可能性を低減できると共に、取り付けた向きにさらに力が作用して取付部が強固に取り付けられてしまうことにより、取付部の取り外しが困難となってしまうことを防止できる取付構造が要望されていた。
【０００５】
本発明は、上記に鑑みてなされたものであって、取付部が、何等かの外的要因により不本意に取り外されてしまう可能性を低減できると共に、取り付けた向きにさらに力が作用して取付部が強固に取り付けられてしまうことにより、取付部の取り外しが困難となってしまうことを防止できる取付構造を提供することを目的とする。
【課題を解決するための手段】
【０００６】
上述した課題を解決し、目的を達成するために、請求項１に記載の取付構造は、植栽基盤の外面にマーキング用の取付部を取り付けるための取付構造であって、前記植栽基盤の外面である設置面に沿って配置される取付ベースであって、第一固定部を有する取付ベースと、前記取付ベースに対して、前記取付ベースを挟む二つの空間のうち前記設置面側の空間とは反対側の空間から、前記設置面と直交する直交方向に沿って取り付けられる前記取付部であって、前記第一固定部と相互に固定可能な第二固定部を有する前記取付部と、を備え、前記取付ベースは、前記設置面に沿って設置されるベースパネルであって、前記取付部が取り付けられるベースパネルと、前記ベースパネルから前記直交方向に沿って突出するように設けられた隔壁であって、前記植栽基盤に植栽された植栽の少なくとも一部を内部に収容可能な空隙部を区画するための隔壁であり、当該隔壁の先端が、前記ベースパネルに取り付けられた前記取付部のいずれの部分よりも、前記ベースパネルから離れる向きに突出する隔壁と、を備え、前記第一固定部は、前記隔壁であり、前記ベースパネルは、前記植栽基盤に植栽された植栽が前記空隙部に向けて通過可能な開口である植物介在路を有し、前記取付部の前記第二固定部の一部を、前記ベースパネルを挟む二つの空間のうち、前記設置面側の空間とは反対側の空間から前記設置面側の空間に、前記ベースパネルの前記植物介在路を介して挿通させることが可能であると共に、当該挿通させた状態において前記第二固定部を前記第一固定部と相互に固定させることが可能であり、前記取付部が前記取付ベースに取り付けられている状態において、前記第一固定部及び前記第二固定部が相互に固定されている固定状態の場合には、前記隔壁に前記第二固定部が係止していることにより、前記直交方向に沿って前記取付部の取り外しが不可能であり、前記第一固定部及び前記第二固定部が相互に固定されていない固定解除状態の場合には、前記隔壁に前記第二固定部が係脱していることにより、前記直交方向に沿って前記取付部の取り外しが可能であり、前記取付部に対して、前記直交方向とは異なる固定解除方向への力が作用した際には、前記第一固定部及び前記第二固定部の相互の状態は、前記固定状態から前記固定解除状態に切り換わる。
【０００７】
請求項２に記載の取付構造は、請求項１に記載の取付構造において、前記設置面は水平面に沿った面であり、前記取付部は、前記取付ベースに対して上方から取り付けられ、前記取付部の上端面の中央部は、上方に向けて隆起した形状である。
【０００８】
請求項３に記載の取付構造は、請求項１又は２に記載の取付構造において、前記第二固定部は、前記取付部から前記ベースパネルに向けて突出した爪部であり、前記爪部及び前記隔壁の相互の状態は、前記爪部を前記隔壁に係止させることにより前記固定状態となり、前記爪部を前記隔壁から係脱させることにより前記固定解除状態となる。
【０００９】
請求項４に記載の取付構造は、請求項３に記載の取付構造において、前記爪部は、挟持空間を挟んで対向配置された右爪部及び左爪部であり、これら右爪部と左爪部の各々の先端部には折り返し部が設けられており、前記右爪部及び前記左爪部を前記ベースパネルに対して前記直交方向に沿って押し込み、前記右爪部と前記左爪部の各々の前記折り返し部を前記設置面側の空間に前記植物介在路を介して挿通させることにより、前記右爪部と前記左爪部の相互間の前記挟持空間に前記隔壁を挟み込んだ状態であって、前記右爪部と前記左爪部の各々の前記折り返し部を前記隔壁の縁部に係止させた状態とすることで、前記右爪部及び前記左爪部と前記隔壁を前記固定状態とすることが可能であり、前記右爪部及び前記左爪部を、前記隔壁から離れる方向である前記固定解除方向に回転させ、前記右爪部と前記左爪部の各々の前記折り返し部を前記設置面側の空間から前記植物介在路を介して引き抜くことにより、前記右爪部と前記左爪部の各々の前記折り返し部を前記隔壁の縁部から係脱させた状態とすることで、前記右爪部及び前記左爪部と前記隔壁を前記非固定状態とすることが可能である。
【００１０】
請求項５に記載の取付構造は、請求項３に記載の取付構造において、前記爪部の先端部には折り返し部が設けられており、前記爪部を、前記ベースパネルに対して前記直交方向に沿って押し込み、前記爪部の前記折り返し部を前記設置面側の空間に前記植物介在路を介して挿通させ、前記ベースパネルに沿った平面内において第１方向に回転させることにより、前記爪部の前記折り返し部を前記隔壁の縁部に係止させた状態とすることで、前記爪部と前記隔壁を前記固定状態とすることが可能であり、前記爪部を、前記ベースパネルに沿った平面内において前記第１方向とは逆の第２方向である前記固定解除方向に回転させることにより、前記爪部の前記折り返し部を前記隔壁の縁部から係脱させた状態とすることで、前記爪部と前記隔を前記非固定状態とすることが可能である。
【００１１】
請求項６に記載の取付構造は、請求項３に記載の取付構造において、前記爪部の先端部には折り返し部が設けられており、前記爪部を、前記ベースパネルに対して前記直交方向に沿って押し込み、前記爪部の前記折り返し部を前記設置面側の空間に前記植物介在路を介して挿通させ、前記ベースパネルに沿った第１方向にスライドさせることにより、前記爪部の前記折り返し部を前記隔壁の縁部に係止させた状態とすることで、前記爪部と前記隔壁を前記固定状態とすることが可能であり、前記爪部を、前記ベースパネルに沿った前記第１方向とは逆の第２方向である前記固定解除方向にスライドさせることにより、前記爪部の前記折り返し部を前記隔壁の縁部から係脱させた状態とすることで、前記爪部と前記隔壁を前記非固定状態とすることが可能である。
【発明の効果】
【００１２】
請求項１に記載の取付構造によれば、取付部に対して、直交方向とは異なる固定解除方向への力が作用した際には、第一固定部及び第二固定部の相互の状態は固定状態から固定解除状態に切り換わるので、単に直交方向に沿って取り付け及び取り外しする場合と比べて機構を複雑化でき、取付部が何等かの外的要因により不本意に取り外されてしまう可能性を低減できると共に、摩擦力による固定ではないので、取り付けた向きにさらに押し込まれても摩擦力が強まらず、取り付けた向きにさらに力が作用して取付部が強固に取り付けられてしまうことにより、取付部の取り外しが困難となってしまうことを防止できる。
また、請求項１に記載の取付構造によれば、突出部の先端が、ベースパネルに取り付けられた取付部のいずれの部分よりも、ベースパネルから離れる向きに突出しているため、突出部によって取付部を保護し、取付部に外的な力が作用することを抑止できるので、取付部が破損してしまったりベースパネルから外れてしまったりすることを防止できる。
【００１４】
請求項２に記載の取付構造によれば、取付部の上端面の中央部は上方に向けて隆起した形状であるので、取付部の上表面に蓄積した汚れやゴミを取付部の側方へと落とすことができ、汚れやゴミで取付部が目立たなくなってしまうことを防止できる。また、上方に向けて隆起した形状により、部材自体の強度を高めることができる。
【００１６】
請求項３に記載の取付構造によれば、爪部及び縁部の相互の状態は、爪部を縁部に係止させることにより固定状態となり、爪部を縁部から係脱させることにより固定解除状態となるので、極めて簡素な動作で固定状態と固定解除状態とを切換えできる。
【図面の簡単な説明】
【００１８】
【図１】本発明の実施の形態１に係る植物保護システム１が設置された駐車場を示す斜視図である。
【図２】図１の要部拡大断面図である。
【図３】表面側から見た植物保護材を示す斜視図である。
【図４】裏面側から見た植物保護材を示す斜視図である。
【図５】植物保護材の平面図である。
【図６】植物保護材の底面図である。
【図７】図３のＡ部の拡大図である。
【図８】単位ブロックを示す斜視図である。
【図９】車及び植物保護システムを示す図２に対応する断面図である。
【図１０】タイヤ止め及び植物保護システムを示す図２に対応する断面図である。
【図１１】表面側から見たマーカーを示す斜視図である。
【図１２】裏面側から見たマーカーを示す斜視図である。
【図１３】マーカーの左側面図である。
【図１４】マーカー取付時を示す斜視図である。
【図１５】マーカー取付時を示す図であって、図１５（ａ）は、図１４のＢ断面における断面図、図１５（ｂ）は、図１４のＣ断面における断面図である。
【図１６】マーカーの取付方法を示す図１４のＢ断面に対応する断面図であり、図１６（ａ）は手順１、図１６（ｂ）は手順２、図１６（ｃ）は手順３を示す。
【図１７】マーカーの取り外し方法を示す図１４のＣ断面に対応する断面図であり、図１７（ａ）は手順１、図１７（ｂ）は手順２、図１７（ｃ）は手順３を示す。
【図１８】本発明の実施の形態２の表面側から見たマーカーを示す斜視図である。
【図１９】裏面側から見たマーカーを示す斜視図である。
【図２０】マーカーの取り外し方法の手順１を示す図であり、図２０（ａ）は、マーカーの斜視図、図２０（ｂ）は、図２０（ａ）のα断面における断面図である。
【図２１】マーカーの取り外し方法の手順２を示す図であり、図２１（ａ）は、マーカーの斜視図、図２１（ｂ）は、図２０（ａ）のα断面に対応する断面図である。
【図２２】マーカーの取り外し方法の手順３を示す図であり、図２２（ａ）は、マーカーの斜視図、図２２（ｂ）は、図２０（ａ）のα断面に対応する断面図である。
【図２３】マーカーの取り外し方法を示す平面図であり、図２３（ａ）は固定状態、図２３（ｂ）は固定解除状態を示す図である。
【図２４】本発明の実施の形態３に係るマーカーの取り外し方法の手順１を示す図であり、図２４（ａ）は、マーカーの斜視図、図２４（ｂ）は、図２４（ａ）のβ断面における断面図である。
【図２５】マーカーの取り外し方法の手順２を示す図であり、図２５（ａ）は、マーカーの斜視図、図２５（ｂ）は、図２４（ａ）のβ断面に対応する断面図である。
【図２６】マーカーの取り外し方法の手順３を示す図であり、図２６（ａ）は、マーカーの斜視図、図２６（ｂ）は、図２４（ａ）のβ断面に対応する断面図である。
【図２７】マーカーの取り外し方法を示す平面図であり、図２７（ａ）は固定状態、図２７（ｂ）は固定解除状態を示す図である。
【発明を実施するための形態】
【００１９】
以下に添付図面を参照して、この発明に係る取付構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。各実施の形態は、取付構造に関する。ここで、「取付構造」とは、取付ベースと、取付ベースに対して取り付けられる取付部とを備える構造である。この取付構造の各部の利用目的は任意で、各実施の形態では、「取付ベース」を、植物を保護するための植物保護材として利用し、「取付部」を、植物保護材上に取り付けられてマーキングをするためのマーキング部材として利用するが、これらの目的に限らない。ここで、「植物を保護する」とは、植物が枯死したり生長が止まってしまったりすることを防止することであり、例えば植物保護材及び植物保護システムの上を移動する人や車によって植物が踏まれて千切れてしまうことを防止することを含む。また、「マーキングをする」とは、各実施の形態では複数の取付部を全体として幾何学デザインや文字、記号等を呈するように配置することで、情報伝達や意匠表現を行うことを示すが、これに限らず、単一の取付部に模様を施すなどして情報伝達や意匠表現を行っても構わない。また、この取付構造を設置する場所は任意で、例えば歩道、車道、又は構造物（ショッピングセンター、病院、工場、学校等）の屋上や壁面に設置できるが、各実施の形態では、駐車場に設置するものとして説明する。
【００２１】
〔ＩＩ〕実施の形態の具体的内容
次に、実施の形態の具体的内容について説明する。
【００２２】
（実施の形態１）
まずは、実施の形態１について説明する。
【００２３】
（構成）
図１は、本実施の形態１に係る植物保護システム１が設置された駐車場を示す斜視図、図２は、図１の要部拡大断面図である。なお、図１においては、一部の植物９を切り欠いて図示している。これらの図１及び図２に示すように、本実施の形態１における植物保護システム１は、駐車場の路床２の上に一面に渡って形成されており、当該植物保護システム１の上に車３が駐車可能となっている。なお、路床２の構成は任意で、本実施の形態１においては平坦なコンクリート製の床であるものとして説明するが、勾配や段差を有していても良いし、他の素材（アスファルト等）で形成しても構わない。ここで、以下では、必要に応じて、これら図１や図２におけるＸ−Ｘ’方向を「幅方向」又は「横方向」と称し、特にＸ方向を「右方向」、Ｘ’方向を「左方向」と称する。また、Ｙ−Ｙ’方向を「奥行き方向」又は「縦方向」と称し、特にＹ方向を「前方向」、Ｙ’方向を「後方向」と称する。また、Ｚ−Ｚ’方向を「高さ方向」又は「厚み方向」と称し、特にＺ方向を「上方向」、Ｚ’方向を「下方向」と称する。
【００２４】
ここで、図１及び図２に示すように、植物保護システム１は、植栽部４、上記の取付ベースの如き植物保護材５、集水板６、タイヤ止め７、及び、上記の取付部の如きマーカー８を備えて構成されている。
【００２５】
（構成−植栽部）
植栽部４は、植物９を生育させるための植栽基盤であって、植物保護材５の下面材２０（後述する）を介して空隙部５０と対向する側の領域（すなわち、端面材の下方の領域）にのみ配置されており、下面材２０に対して接する。具体的には、この植栽部４は、集水板６の上方かつ植物保護材５の下方の位置に、均等の厚みとなるように載置された土壌である。ここで、この植栽部４としては、植物９を生育可能な限り任意のものを用いることが出来るが、本実施の形態１においては、多孔質の火山砂利を主要骨材として構成する客土材を用いるものとして説明する。なお、この客土材は、シルトや粘土といった細粒分を含まず、多孔質な礫砂で構成されており、保水性および排水性に優れる。
【００２６】
ここで、植物９は、本実施の形態１に係る植物保護材５及び植物保護システム１による保護の対象となる植物である。具体的に、この植物９は、植栽部４に根を生やし、茎及び葉の一部が植物保護材５の後述する空隙部５０の内部に収容され、葉の先端部分が空隙部５０の上方に突出するように植栽されている。また、植物９の茎及び葉の一部は、後述する下切欠き１３を介して隣接する他の空隙部５０に至るように植栽されている。なお、植物９の種類は任意であり、コケ植物、シダ植物、種子植物等様々な植物を適用できるが、本実施の形態１では、図２のように鉛直方向のみならず水平方向にも向かって生長する植物（例えば、芝）であるものとして説明する。
【００２７】
（構成−植物保護材）
植物保護材５は、植物９を保護するための植物保護手段である。また、植物保護材５は、設置面に沿って配置される取付ベースであって、第一固定部（後述する）を有する取付ベースである。この植物保護材５は、縦横約５０ｃｍ厚み１ｃｍ〜１０ｃｍ程度の板状体であり、図１に示すように、植栽部４の上方に幅方向及び奥行き方向に沿って（Ｘ−Ｙ平面に沿って）隙間なく複数並設されている。なお、各植物保護材５同士は、水平方向の端部に形成された連結部４０（後述する）によって互いに連結されている。また、植物保護材５を植栽部４に配置した際に、植栽部４に接する側の面（下向きの面）を「裏面」、反対側の面（上向きの面）を「表面」と称して説明する。
【００２８】
ここで、図３は、表面側から見た植物保護材５を示す斜視図、図４は、裏面側から見た植物保護材５を示す斜視図、図５は、植物保護材５の平面図、図６は、植物保護材５の底面図である。これらの図３から図６に示すように、植物保護材５は、隔壁１０、下面材２０、外枠材３０、及び連結部４０を備えて構成されている。
【００２９】
（構成−植物保護材−隔壁）
隔壁１０は、植物９の少なくとも一部を内部に収容可能な空隙部５０（後述する）を、第１空隙部（後述する）と、第１空隙部に対して並設された第２空隙部（後述する）とに相互に隔離する隔離手段である。また、隔壁１０は、植物保護材５に取り付けられたマーカー８の周囲を囲繞する囲繞部である。また、隔壁１０は、下面材２０から上下方向に沿って突出するように設けられた突出部であって、当該突出部の先端（上端）が、下面材２０に取り付けられたマーカー８のいずれの部分よりも、下面材２０から離れる向きに突出する突出部である。この隔壁１０は、図３や図５に示すように外枠材３０に覆われた空間の内部に縦横に渡って形成されている。ここで、図７は、図３のＡ部の拡大図、図８は、単位ブロック１１（後述する）を示す斜視図である。これらの図７及び図８に示すように、この隔壁１０は、概略的に、上下の両端面を開口面とする平面視六角筒形状に形成された第１隔壁（以下、隔壁１０ａ）と、当該隔壁１０ａの内部に配置された第２隔壁（以下、隔壁１０ｂ）であって、平面視十字状に形成された隔壁１０ｂと、を有する単位ブロック１１を１つの単位として、この単位ブロック１１を隙間なく複数並設して構成されている。ただし、図７に示すように、隣接する単位ブロック１１同士は、互いに隔壁１０ａの一部を共有して構成されている。
【００３０】
ここで、単位ブロック１１の隔壁１０ａ及び隔壁１０ｂにより区画された空間（図８において、隔壁１０ｂによって四分割された空間の一つ）を、以下では「空隙部」５０と称して説明する。また、各空隙部５０を相互に区別する必要がある際には、以下では、任意の一の空隙部５０を「第１空隙部」と称し、当該第１空隙部に対して並設された他の空隙部５０を「第２空隙部」と称して説明する。
【００３１】
ここで、隔壁１０の相互間隔は任意であるが、隔壁１０の相互間隔が大きい（すなわち、空隙部５０が大きい）と、植物保護材５の上方を人が歩行した際に不快に感じてしまう可能性があるばかりか、靴の底が空隙部５０に挟まってしまう可能性があり、好ましくない。特に、従来の公知のプラスティック製の植物保護材は、開口が大きいため、歩行者にとっては極めて歩行感が悪い上に、手押し車やベビーカー等の走行が困難であった。一方、本実施の形態１の植物保護材５では、歩きやすさ、植物９の生育性、及び植物保護材５の金型の作りやすさから、空隙部５０の上端の開口を、約１．５ｃｍ×１．５ｃｍ〜２．５ｃｍ×２．５ｃｍ程度としている。
【００３２】
また、隔壁１０の肉厚は任意であるが、本実施の形態１では、金型から脱型して隔壁１０を一体に形成するため肉厚にテーパ−を取る必要があり、隔壁１０の上端の肉厚が１．５ｍｍ〜２．５ｍｍ程度で、下端の肉厚はこれよりも厚くなっている。また、隔壁１０の高さは植物９の少なくとも一部を保護可能な限り任意である。なお、仮に植物９の葉が擦り切れたとしても、茎の上部に位置する生長点が無事であれば、生長点より上の部分は再生するため、当該隔壁１０は生長点を保護可能であることが特に好ましく、例えば高さ３．５ｃｍ〜７ｃｍ程度に形成される。
【００３３】
ここで、隔壁１０には、上切欠き１２及び下切欠き１３が形成されており、隔壁１０におけるこれらの上切欠き１２を除く部分の上端は、同一平面上に位置するように形成されている。
【００３４】
上切欠き１２は、隔壁１０に設けられた開口であり、空隙部５０を挟んで下面材２０と対向する側の端面側に位置する対向空間（すなわち、空隙部５０の上方の空間）に対して相互に連通するように切り欠かれた開口である第１植物介在路であって、第１空隙部又は第２空隙部のいずれか一方の内部から、当該上切欠き１２を介して、第１空隙部又は第２空隙部のいずれか他方の内部へと植物９を介在可能とする第１植物介在路である。
【００３５】
具体的には、上切欠き１２は、隔壁１０ａ及び隔壁１０ｂの上端に形成された、側面視台形状の切欠きである。ここで、図９は、車３及び植物保護システム１を示す図２に対応する断面図である。このように隔壁１０ａ及び隔壁１０ｂに上切欠き１２が形成されていることにより、人や車３によって植物９が踏まれて枯死又は損傷を防止できる。すなわち、例えば車３が植物保護材５の上方を走行した場合、上切欠き１２を設けていないと、車３のタイヤと隔壁１０の上端との間に植物９が挟まってしまうことにより、植物９が千切れてしまうことがある。そこで、本実施の形態１のように隔壁１０に切欠きを設けることで、車３のタイヤによって上方から押圧された植物９の先端は、上切欠き１２を介して隣接する空隙部５０に至る。したがって、車３のタイヤと隔壁１０の上端との間に植物９が挟まって千切れてしまうことを防止できる。このように、植物９が千切れてしまう量を減少させることにより、植物９のより健全な生育が可能である。また、匍匐茎（地上部を地表すれすれで這い、着地した地点で新たな株を増やす個体増殖のための茎）で増殖するコウライシバ等の品種を用いたときに、匍匐茎が上切欠き１２を通ることにより輪荷重や踏圧で匍匐茎が痛まないため、面方向の緑被の増加を妨げないことが可能となる。したがって、匍匐茎が健全に広がらない構造とした場合と比べて、初期配置面積以上に植物９が広がって生長できると共に、枯損箇所の芝による自己修復も容易となる。
【００３６】
ここで、上切欠き１２の形状は任意であり、本実施の形態１のように台形状に限られない。また、上切欠き１２の大きさは大きい程好ましいが、本実施の形態１では、車３のタイヤによる圧縮やせん断応力耐え得る強度を隔壁１０が維持可能なように、例えば上辺１０ｍｍ〜５０ｍｍ（より望ましくは２０ｍｍ〜２５ｍｍ）、底辺５ｍｍ〜３０ｍｍ（より望ましくは１５ｍｍ〜２０ｍｍ）、高さ５ｍｍ〜３０ｍｍ（より望ましくは１０〜１５ｍｍ）程度の台形状の断面の切欠きが望ましい。
【００３７】
下切欠き１３は、隔壁１０に設けられた開口であり、上切欠き１２よりも下面材２０側に設けられた開口である第２植物介在路であって、第１空隙部又は第２空隙部のいずれか一方の内部から、当該下切欠き１３を介して、第１空隙部又は第２空隙部のいずれか他方の内部へと植物９を介在可能とする第２植物介在路である。
【００３８】
具体的には、下切欠き１３は、隔壁１０ａと隔壁１０ｂとの接合部の下端に形成された、深さ１ｃｍ程度の側面視台形状の切欠きである。このように隔壁１０ａ及び隔壁１０ｂに下切欠き１３を形成することにより、植物９が第１空隙部から当該下切欠き１３を介して第２空隙部に至るように生長できる。したがって、植物９が植物保護材５における下端部に沿って匍匐して生長することを促進でき、隔壁１０により植物９の生長が妨げられてしまうことを防止できる。すなわち、下切欠き１３を設けない場合、植物９における匍匐茎は隔壁１０に当接してしまい、生長が阻害されてしまう可能性がある。しかし、本実施の形態１のように下切欠き１３を設けることにより、下切欠き１３を通って植物９が広範囲に生長又は繁殖することが可能となる。さらに、植物９の葉が適度に分散され、光合成に必要な太陽光を効率的に受けることにより、植物９の健全な生育が見込める。また、下切欠き１３を形成することにより、植物９が上切欠き１２を塞いでしまうことを防止できる。すなわち、下切欠き１３を設けない場合、植物９における匍匐茎は隔壁１０に当接して隔壁１０に沿って上方に生長していき、上切欠き１２を塞いでしまい、上切欠き１２が機能しなくなってしまう可能性がある。しかし、本実施の形態１のように下切欠き１３を設けることで、上記のように植物９が隔壁１０に沿って上方に生長していくことを抑止でき、上切欠き１２が機能しなくなってしまうことを防止することが可能となる。
【００３９】
（構成−植物保護材−下面材）
下面材２０は、空隙部５０における、第１空隙部及び第２空隙部の並設面と直交する直交方向（すなわち、高さ方向）の一方の端面（本実施の形態１においては、下端面）を覆う端面材である。また、下面材２０は、設置面（Ｘ−Ｙ平面）に沿って設置されるベースパネルであって、マーカー８が取り付けられるベースパネルである。また、下面材２０は、開口部を有する開口パネルである。また、下面材２０は、植物９が植栽された植栽面に設置される設置パネルであって、植物９が介在可能な開口である植物介在路（円形孔２１、矩形孔２２等）を有する設置パネルである。ここで、この下面材２０は、概略的に、植物保護材５の下端面を略覆う部材であり、植物保護材５における植栽部４との接触面積を増大させることにより、人や車３が植物保護材５の上を移動した際に、植物保護材５が植栽部４に埋まってしまうことを防止するための部材である。具体的には、下面材２０は、矩形状の板状体であり、隔壁１０及び外枠材３０と一体に形成されている。
【００４０】
ここで、下面材２０は、図２や図４に示すように、円形孔２１及び矩形孔２２を有する。なお、下面材２０の全体に対する円形孔２１及び矩形孔２２の開口率は任意であるが、下面材２０の強度を維持しつつ植物９が容易に活着できる開口率が好ましく、例えば３０〜７０％程度の開口が望ましい。
【００４１】
円形孔２１は、空隙部５０の外部から、下面材２０を介して空隙部５０の内部へと植物９を介在可能とする端面材孔である。具体的には、円形孔２１は、隔壁１０ｂの十字状の交点の真下の位置を中心とする平面視正円形の孔である。なお、下面材２０の端部や隅部に形成された円形孔２１は、平面視半円形や平面視扇形の孔となっている。このように円形孔２１を設けることで、植栽部４に植栽された植物９が、当該円形孔２１を介して空隙部５０の内部に至り、空隙部５０の内部で隔壁１０に保護される。また、当該円形孔２１は、植物保護材５の上から水を撒いた際に、当該円形孔２１を通って植栽部４に水が至るための水抜きとしての機能も有する。なお、本実施の形態１においては正円形の孔であるものとしたが、孔の形状や数は任意で、例えば矩形や六角形、あるいは下面材２０自体をメッシュ状に形成しても構わない。また、円形孔２１の大きさは任意であるが、本実施の形態１ではφ４０ｍｍ程度の孔であるものとする。
【００４２】
矩形孔２２は、空隙部５０の外部から、下面材２０を介して空隙部５０の内部へと植物９を介在可能とする端面材孔であると共に、第１空隙部又は第２空隙部のいずれか一方の内部から、下切欠き１３を介して、第１空隙部又は第２空隙部のいずれか他方の内部へと至る植物９のスペースを確保するための孔である。具体的には、隔壁１０ａの下端部に設けられた下切欠き１３の真下の位置を含むように形成された平面視矩形の孔である。このように矩形孔２２を設けることで、円形孔２１と同様に、植栽部４に植栽された植物９が、当該矩形孔２２を介して空隙部５０の内部に至り、空隙部５０の内部で隔壁１０に保護される。また、当該矩形孔２２は、円形孔２１と同様に、植物保護材５の上から水を撒いた際に、当該矩形孔２２を通って植栽部４に水が至るための水抜きとしての機能も有する。また、より多くの植物９が下切欠き１３を介して第１空隙部から第２空隙部に至ることができ、匍匐系の植物９の生長を一層促進することが可能となる。なお、本実施の形態１においては矩形の孔であるものとしたが、孔の形状や数は任意で、例えば円形や六角形、あるいは下面材２０自体をメッシュ状に形成しても構わない。なお、矩形孔２２の大きさは任意であるが、本実施の形態１では１０ｍｍ×２０ｍｍ程度の孔であるものとする。
【００４３】
（構成−植物保護材−外枠材）
外枠材３０は、植物保護材５における外周部分を構成する枠材である。この外枠材３０は、隔壁１０の前後左右の四周を覆うように配置されており、四枚の長板形状体を端部にて組み合わせた形状に形成されている。なお、外枠部の外面には上述した連結部４０が形成されており、この連結部４０により他の植物保護材５と相互に連結可能となっている。
【００４４】
（構成−植物保護材−連結部）
連結部４０は、複数の植物保護材５を相互に連結するための連結手段である。この連結部４０は、突状連結部４１と、溝状連結部４２とを有しており、一の植物保護材５の突状連結部４１と、他の植物保護材５の溝状連結部４２とを相互に連結させることにより、各植物保護材５同士を相互に連結することができる。
【００４５】
突状連結部４１は、各植物保護材５の外枠材３０における前側面及び右側面のそれぞれに対して等間隔で４つずつ配置されている。これらの各突状連結部４１は、いずれもそれぞれ外側に突出するように形成された突起であり、鉛直方向に沿った孔を有する平面視中空角環状に形成されている。
【００４６】
また、溝状連結部４２は、各植物保護材５の外枠材３０における後側面及び左側面に対して形成されており、右端部及び後端部のそれぞれに対して、上述した突状連結部４１と同一の間隔で、突状連結部４１と対応する位置に４つずつ配置されている。そして、各溝状連結部４２は、外枠材３０の一部を鉛直方向に沿って、かつ上方を開口とするように切り欠くことにより、当該切欠きの間に上向きに突出する凸部を形成して構成されている。
【００４７】
そして、各植物保護材５同士を相互に連結する際には、一の植物保護材５の突状連結部４１が、他の植物保護材５の溝状連結部４２に収まるように上下にこれらの植物保護材５を重ね合わせることにより、連結を行うことができる。具体的には、突状連結部４１の孔を、溝状連結物の凸部に挿通するようにして連結を行う。なお、各植物保護材５同士を連結可能である限り、連結部４０の構造は任意であり、このような機構に限定されない。
【００４８】
（構成−集水板）
図１及び図２に戻り、集水板６は、植栽部４を透過した水分を集める集水手段である。この集水板６は、路床２と植栽部４の相互間に全面に渡って配置された板状体である。この集水板６は水分を透過しにくい素材（例えば金属）で形成されており、表面を水が伝う程度の勾配を設けて配置されている。そして、植栽部４を透過した雨水等が、当該集水板６を伝って集水用のタンク等に集められ、当該タンクの水を植物９の育成に再利用することができる。
【００４９】
（構成−タイヤ止め）
タイヤ止め７は、車３の移動を抑制するための止め具である。図１０は、タイヤ止め７及び植物保護システム１を示す図２に対応する断面図である。このタイヤ止め７は、各駐車スペースに２つずつ配置されており、植物保護材５に対して取り付けられている。具体的には、タイヤ止め７は、コンクリートブロック７ａ、及び弾性部材７ｂを備えて構成されている。
【００５０】
コンクリートブロック７ａは、直方体形状のコンクリート製のブロックであり、複数箇所（図１０においては、前端部及び後端部の二箇所）には上下方向に沿って貫通する孔７ｃが形成されている。また、弾性部材７ｂは、コンクリートブロック７ａを植物保護材５に対して設置するための設置用部材である。この弾性部材７ｂは、具体的には、コンクリートブロック７ａの上面から、コンクリートブロック７ａの一方の孔７ｃ、植物保護材５のいずれかの矩形孔２２、下面材２０の下方、植物保護材５の他の矩形孔２２、コンクリートブロック７ａの他方の孔７ｃを順次介して、コンクリートブロック７ａの上面に至るように配置されて側面視環状の部材である。このように弾性部材７ｂを配置することにより、コンクリートブロック７ａ及び植物保護材５を弾性力によって互いに引き寄せ合う方向に引っ張るように構成されている。そして、車３（図１０において図示省略）が駐車した際には、当該タイヤ止め７を車３のタイヤが押圧するが、この際に弾性部材７ｂの伸縮力により、コンクリートブロック７ａが車３の進行方向に傾くため、タイヤ止め７が植物保護材５に緊結されている場合と比べてタイヤへの負担を軽減できる。
【００５１】
（構成−マーカー）
図１及び図２に戻り、マーカー８は、植物保護材５の一部の空隙部５０を覆う上端材である。また、植物保護材５に対して、植物保護材５を挟む二つの空間（上下の二つの空間）のうち一方の空間（上方の空間）から、設置面（Ｘ−Ｙ平面）と直交する直交方向（上下方向）に沿って取り付けられる取付部であって、第一固定部（後述する）と相互に固定可能な第二固定部（後述する）を有する取付部である。ここで、図１に示すように、マーカー８は前後方向（Ｙ−Ｙ’方向）に沿って複数並設されることにより駐車スペースの区画を呈しているが、これらの各マーカー８はいずれも同様に構成できるため、以下では単一のマーカー８のみについて説明する。
【００５２】
図１１は、表面側から見たマーカー８を示す斜視図、図１２は、裏面側から見たマーカー８を示す斜視図、図１３は、マーカー８の左側面図、図１４は、マーカー８取付時を示す斜視図、図１５は、マーカー８取付時を示す図であって、図１５（ａ）は、図１４のＢ断面における断面図、図１５（ｂ）は、図１４のＣ断面における断面図である。これらの図１１から図１５に示すように、マーカー８は、概略的に、本体部６０、支持部７０、及び爪部８０を備えて構成されている。
【００５３】
（構成−マーカー−本体部）
本体部６０は、表示面を有する表示部である。「表示面」とは、マーカー８における最も視認される面であって、本実施の形態１では本体部６０のうち上面の略矩形の面を示す。このように、本体部６０の表示面は最も視認される部分であるため、マーキング用の部材として使用する場合には意匠性を考慮して形成することが好ましく、本実施の形態１では本体部６０は白色のプラスティック製とするが、これに限らない。
【００５４】
ここで、図１３に示すように、本体部６０の上端面の中央部は、上方に向けて隆起した形状である。このように、中央部が隆起していることにより、中央部に蓄積したゴミや汚れが、重力や振動や風等によって端部に移動し易くなり、本体部６０の表示面の中央部を清浄に保つことができる。また、本体部６０と、隔壁１０との間には、図１５に示すように隙間ＣＬが設けられている。このように隙間ＣＬを設けることにより、端部に移動したゴミや汚れが、当該隙間ＣＬを介して本体部６０の裏面の空間に脱落するので、ゴミや汚れがさらに視認し難くなり、本体部６０の表示面をより一層清浄に保つことができる。この隙間ＣＬの具体的な幅は、本実施の形態１では１ｍｍ程度であるが、ゴミや汚れが脱落可能な限り任意の幅を適用できる。
【００５５】
ここで、図１１に示すように、本体部６０には、複数の溝部６１ａ、６１ｂ、６１ｃ、６１ｄが形成されている。なお、これらの溝部６１ａ、６１ｂ、６１ｃ、６１ｄを相互に区別する必要のない場合は単に「溝部」６１と称して説明する。これら溝部６１は、マーカー８を植物保護材５に対して安定的に固定するための固定手段であって、図１４に示すように、各溝部６１は、隔壁１０に対応する形状を有している。そして、マーカー８を上方から落とし込んでいくと、各溝部６１内に隔壁１０が収まり、本体部６０の下面が、隔壁１０における上切欠き１２を囲う面のうち下端の面（以下、切欠き面）に接して、切欠き面によってマーカー８が支持される。このように、隔壁１０の形状に対応する溝部６１をマーカー８に設けることで、マーカー８設置時にはマーカー８の水平方向に沿った移動を抑制し、マーカー８をより安定的に固定できる。
【００５６】
また、溝部６１を設けることにより、図１５に示すように、マーカー８は、隔壁１０が囲繞する空間内に収容される。具体的には、隔壁１０の上端が、マーカー８のいずれの部分よりも、上方向に突出する。そのため、マーカー８に対して作用する外力を低減できる。例えば、車３がマーカー８の上方を走行した場合であっても、最も上端に突出している部分である隔壁１０に車３からの負荷が大きく掛り、マーカー８には大した負荷が掛らない。さらに、車３がマーカー８の上で停止した状態でハンドルを切った場合などでも、同様の理由によりマーカー８に対して加わる回転力を抑止でき、マーカー８の破損や意図しない脱落を防止できる。
【００５７】
また、図１２や図１３に示すように、本体部６０の後端部（Ｙ’方向端部）には係止部６２が設けられている。この係止部６２は、マーカー８の取り外し（後述する）を行う際に用いる部分であり、マーカー８の端部を隔壁１０に引っ掛けるための係止手段である。この係止部６２は、本体部６０から後方に向けて突出した部分であり、マーカー８を引っ掛けられる限り形状や厚みは任意であるが、本実施の形態１では、本体部６０の他の部分よりも薄型の形状となっている。なお、このような係止部６２を用いたマーカー８の取り外しの詳細については後述する。
【００５８】
（構成−マーカー−支持部）
支持部７０は、本体部６０を支持する支持手段であって、マーカー８の取付時において、本体部６０と下面材２０との相互間に介在して、これらの距離を一定に保つように支持する。すなわち、マーカー８の本体部６０は、上述したように隔壁１０の上切欠き１２の切欠き面に対して本体部６０の底面が接することによる支持と、下面材２０に対して当該支持部７０が接することによる支持がなされる。この支持部７０は、本実施の形態１においては、本体部６０の下面の２箇所から下方に向かって突出するように設けられているが、設置数はこれに限らず、単一の支持部７０であっても構わない。また、支持部７０の形状は、本実施の形態１では図１１や図１２に示すように湾曲した板状体であるが、これに限らず任意の形状を適用できる。
【００５９】
（構成−マーカー−爪部）
爪部８０は、第一固定部（後述する）と相互に固定可能な第二固定部（後述する）であり、本体部６０から下面材２０に向けて突出した部材である。この爪部８０は、本体部６０における後端部付近に配置されており、中央よりも右方寄りに配置された右爪部と、中央よりも左方寄りに配置された左爪部の２つから構成されている。そして、各爪部８０はそれぞれ本体部６０の下面から下方に向けて突出する形状を呈しており、下端において互いに対向する方向に折り返されている。このように折り返された部分を、以下では「折り返し部８１」と称する。そして、当該折り返し部８１の下端には、傾斜部８２が設けられている。なお、爪部８０のＺ方向の長さは少なくとも上述した支持部７０よりも長ければ任意である。
【００６０】
ここで、これら各爪部８０の相互間には、図１１及び図１２に示すように挟持空間Ｅｐが設けられている。そして、マーカー８の取付時には、この挟持空間Ｅｐに隔壁１０ｂが収まり、二つの爪部８０で隔壁１０ｂを挟み込むように固定する。なお、マーカー８の具体的な取付方法については後述する。また、爪部８０の具体的な素材については任意であるが、少なくとも左右の爪部８０が離れる方向に撓む程度の弾性素材が好ましい。
【００６１】
（施工方法）
続いて、当該植物保護システム１の施工方法について説明する。
【００６２】
まず、駐車場の路床２の上面に対して、集水板６を敷き詰めていく。次に、当該集水板６の上方に、植栽部４を形成する。なお、この際に、植栽部４が平坦になるように地ならしすることが好ましい。次に、植栽部４の上方に、複数の植物保護材５を並べて配置していく。なお、各植物保護材５同士は、各植物保護材５の端部に形成された連結材により相互に連結する。次に、当該植物保護材５に対して、マーカー８を取り付けて駐車スペースを区切る（詳細については後述する）。次に、駐車スペースに対してタイヤ止め７を取り付ける。最後に、植物保護材５の上から、マーカー８やタイヤ止め７が取り付けられていない位置における円形孔２１及び矩形孔２２に対して、植物９の種を蒔いて植栽部４に植物９を植栽する。なお、種ではなく苗を植栽部４に植栽しても構わない。以上にて、植物保護システム１の施工方法についての説明を終了する。
【００６３】
（マーカーの取付方法）
続いて、マーカー８の取付方法について説明する。
【００６４】
（マーカーの取付方法−概略）
まずは、マーカー８の取付方法の概略について説明する。図１６は、マーカー８の取付方法を示す図１４のＢ断面に対応する断面図であり、図１６（ａ）は手順１、図１６（ｂ）は手順２、図１６（ｃ）は手順３を示す。なお、図１６の各矢印はマーカー８を動かす方向を示している。なお、当該図１６や、後述する図１７では、図示の便宜上、植栽部４、集水板６、及び路床２の表示は省略している。
【００６５】
この図１６に示すように、マーカー８を、植物保護材５に対して取り付けたり、取り外したりできる。ここで、「取り付けられている」とは、マーカー８と植物保護材５とが相互に接触している状態を示す。また、「取り外されている」や「取り付けられていない」とは、マーカー８と植物保護材５とが相互に接触していない状態を示す。
【００６６】
ここで、概略的に、植物保護材５は「第一固定部」を備え、マーカー８は「第二固定部」を備える。「第一固定部」とは、第二固定部に対して固定可能な部分であって、本実施の形態１では、下面材２０に設けられた開口部（円形孔２１）の縁部である。なお、「開口部の縁部」とは、開口部の近傍（例えば、周囲や上方）に位置する形成体であって、例えば円形孔２１の周囲に位置する下面材２０や、円形孔２１の上方に位置する隔壁１０ｂを含む概念であるが、本実施の形態１では、「第一固定部」は「隔壁」１０ｂであるものとする。「第二固定部」とは、第一固定部に対して固定可能な部分であって、本実施の形態１では、上述したように、「第二固定部」は「爪部」８０である。
【００６７】
そして、第一固定部及び第二固定部の相互の状態は、マーカー８が植物保護材５に取り付けられている状態において、第一固定部及び第二固定部が相互に固定されている「固定状態」と、第一固定部及び第二固定部が相互に固定されていない「固定解除状態」とに切り換わることができる。ここで、「固定状態」とは、マーカー８を、設置面と直交する直交方向（本実施の形態１では上方向）に沿って、植物保護材５から取り外すことが不可能な状態を示し、具体的には、マーカー８を上方向へ移動させた際に、当該移動が植物保護材５によって阻害される状態を示す。また、「固定解除状態」とは、マーカー８を、設置面と直交する直交方向（本実施の形態１では上方向）に沿って、植物保護材５から取り外すことが可能な状態を示し、具体的には、マーカー８を上方向へ移動させた際に、当該移動が植物保護材５によって阻害されない状態を示す。
【００６８】
（マーカーの取付方法−詳細）
続いて、マーカー８の取付方法の詳細について説明する。上述した図１６に示すように、マーカー８を取り付ける際には、マーカー８を設置面に対して直交する方向（上下方向）に沿って、植物保護材５に圧しつけていく。そして、爪部８０の傾斜部８２が隔壁１０ｂの上端に当接すると、マーカー８を植物保護材５に圧しつける上下方向の力が傾斜部８２の傾斜によって横方向の力に変換されて、爪部８０が互いに離れる方向に力が作用して、図１６（ｂ）に示すように爪部８０が左右に撓んで広がる。この状態では、爪部８０の折り返し部８１で隔壁１０ｂを挟んだ状態となる。そして、マーカー８をさらに下方に押し込んでいくことにより、図１６（ｃ）に示すように、折り返し部８１が隔壁１０ｂから脱落し、爪部８０の弾性力により撓みが元に戻り、爪部８０の挟持空間Ｅｐに隔壁１０ｂが挟み込まれた状態（固定状態）となる。このように、第一固定部（隔壁１０ｂ）及び第二固定部（爪部８０）の相互の状態は、爪部８０を隔壁１０ｂの縁部に係止させることにより固定状態となる。
【００６９】
この固定状態では、上方向に沿ってマーカー８の取り外しが不可能である。すなわち、マーカー８を単純に鉛直上方向に引き抜こうとしても、折り返し部８１が隔壁１０ｂの下端部に引っかかるため、マーカー８を取り外すことは出来ない。また、マーカー８の後端部を支点、前端部を力点として、前端部を後端部側へと回転させるように引き抜こうとしても、爪部８０が円形孔２１の縁に当たって回転できないため、マーカー８を取り外すことは出来ない。そのため、マーカー８が不本意に取り外されてしまうことを防止できる。
【００７０】
（マーカーの取り外し方法）
続いて、マーカー８の取り外し方法について詳細に説明する。図１７は、マーカー８の取り外し方法を示す図１４のＣ断面に対応する断面図であり、図１７（ａ）は手順１、図１７（ｂ）は手順２、図１７（ｃ）は手順３を示す。なお、図１７の各矢印はマーカー８を動かす方向を示している。本実施の形態１に示す取り外し方法では、概略的に、初めにマーカー８を固定解除方向（マーカー８の後端部を固定した状態で前端部を持ち上げる方向。図１７（ｂ）の矢印参照。）へ動かすことにより、第一固定部（隔壁１０ｂ）及び第二固定部（爪部８０）の相互の状態を、固定状態から固定解除状態へと切り換えて、その後に取り外し（マーカー８の上方向への引き抜き）を行う。
【００７１】
具体的には、まず、図１７（ａ）の矢印に示すように、マーカー８を上方（Ｚ方向）かつ後方（Ｙ’方向）に動かして、マーカー８の後端部の係止部６２を、隔壁１０ｂの上端に引っ掛ける。図１７（ｂ）は係止部６２を隔壁１０ｂの上端に引っ掛けた状態を示している。なお、図１５（ａ）に示すように、爪部８０の折り返し部８１の上端から、爪部８０に挟まれた隔壁１０ｂの下端までの間には若干の余裕があるため、マーカー８の上方への移動が隔壁１０ｂに阻害されることはない。
【００７２】
続いて、図１７（ｂ）の矢印に示すように、係止部６２を支点、マーカー８の前端部を力点として、マーカー８の前端部をマーカー８の後端部の方へと持ち上げて回転させる。このように回転させると、爪部８０は作用点となるため、梃子の原理により、単純に上方に持ち上げるよりも大きな力が爪部８０に作用する。そのため、爪部８０が開いて折り返し部８１で隔壁１０ｂを挟んだ状態（固定解除状態）となる。図１７（ｃ）はこの固定解除状態を示している。最後に、マーカー８を上方（図１７（ｃ）の矢印の方向）に引き抜くことにより、爪部８０が隔壁１０ｂから脱落してマーカー８を取り外すことが可能である。
【００７３】
このように、本実施の形態１では、マーカー８に対して設置面と直交する直交方向（上方向）とは異なる固定解除方向（図１７（ｂ）の曲線方向）への力が作用した際には、第一固定部（隔壁１０ｂ）及び第二固定部（爪部８０）の相互の状態は、爪部８０を隔壁１０ｂの縁部から係脱させることにより、固定状態から固定解除状態に切り換わる。すなわち、爪部８０の挟持力は、マーカー８を単純に上に持ち上げた際には爪部８０が開かないが、マーカー８の後端部を支点として梃子の原理で回転させた際には開く程度の力となるように形成する。
【００７４】
（実施の形態１の効果）
このように、本実施の形態１の取付構造によれば、マーカー８に対して、直交方向とは異なる固定解除方向への力が作用した際には、隔壁１０ｂ及び爪部８０の相互の状態は固定状態から固定解除状態に切り換わるので、単に直交方向に沿って取り付け及び取り外しする場合と比べて機構を複雑化でき、マーカー８が何等かの外的要因により不本意に取り外されてしまう可能性を低減できると共に、摩擦力による固定ではないので、取り付けた向きにさらに押し込まれても摩擦力が強まらず、取り付けた向きにさらに力が作用してマーカー８が強固に取り付けられてしまうことにより、マーカー８の取り外しが困難となってしまうことを防止できる。
【００７５】
また、隔壁１０の先端が、下面材２０に取り付けられたマーカー８のいずれの部分よりも、下面材２０から離れる向きに突出しているため、隔壁１０によってマーカー８を保護し、マーカー８に外的な力が作用することを抑止できるので、マーカー８が破損してしまったり下面材２０から外れてしまったりすることを防止できる。
【００７６】
また、マーカー８の上端面の中央部は上方に向けて隆起した形状であるので、マーカー８の上表面に蓄積した汚れやゴミをマーカー８の側方へと落とすことができ、汚れやゴミでマーカー８が目立たなくなってしまうことを防止できる。また、上方に向けて隆起した形状により、部材自体の強度を高めることができる。
【００７７】
また、マーカー８と隔壁１０との間に隙間ＣＬを有するので、マーカー８の表面に蓄積した汚れやゴミを、当該隙間ＣＬを介してマーカー８の裏側へと移動させることができ、汚れやゴミでマーカー８が目立たなくなってしまうことを防止できる。
【００７８】
また、爪部８０及び隔壁１０ｂの相互の状態は、爪部８０を隔壁１０ｂに係止させることにより固定状態となり、爪部８０を隔壁１０ｂから係脱させることにより固定解除状態となるので、極めて簡素な動作で固定状態と固定解除状態とを切換えできる。
【００７９】
また、下面材２０によって植物９を人や車３の荷重から保護しつつ、下面材２０上にマーカー８で幾何学デザインや文字、記号等を表現することで、情報伝達や意匠表現を行うことができる。
【００８０】
（実施の形態２）
続いて、実施の形態２について説明する。本実施の形態２は、概略的に、マーカー１００を水平面に沿って回転させることにより、植物保護材５に取り付けたり、植物保護材５から取り外したりする取付構造に関する。なお、実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００８１】
（構成−マーカー）
図１８は、本実施の形態２の表面側から見たマーカー１００を示す斜視図、図１９は、裏面側から見たマーカー１００を示す斜視図である。これらの図１８及び図１９に示すようにマーカー１００は、概略的に、本体部６０、支持部７０、及び爪部９０を備えて構成されている。ただし、爪部９０を除いて実施の形態１と同様に構成できるため、以下では爪部９０のみの構成を説明する。なお、本実施の形態２では、実施の形態１のように本体部６０を梃子の原理で取り外すわけではないため、本体部６０には、実施の形態１のように係止部６２を設ける必要はない。
【００８２】
（構成−マーカー−爪部）
爪部９０は、第一固定部（隔壁１０ｂ）と相互に固定可能な第二固定部である。この爪部９０は、全体として幅方向（Ｘ−Ｘ’方向）中央よりも左方向（Ｘ’方向）寄りに設置されており、本体部６０から下方に向けて突出しており、下端部においてＸ方向に折り返されている。このように折り返された部分を以降では「折り返し部９１」と称する。なお、本実施の形態２の爪部９０は、実施の形態１とは異なり、１本しか設けられていない。
【００８３】
（マーカーの取り外し方法）
続いて、マーカー１００の取り外し方法について詳細に説明する。なお、マーカー１００の取付方法については、当該取り外し方法を逆の手順で行うことにより実施できるため、詳細な説明を省略する。
【００８４】
図２０は、マーカー１００の取り外し方法の手順１を示す図であり、図２０（ａ）は、マーカー１００の斜視図、図２０（ｂ）は、図２０（ａ）のα断面における断面図である。また、図２１は、マーカー１００の取り外し方法の手順２を示す図であり、図２１（ａ）は、マーカー１００の斜視図、図２１（ｂ）は、図２０（ａ）のα断面に対応する断面図である。また、図２２は、マーカー１００の取り外し方法の手順３を示す図であり、図２２（ａ）は、マーカー１００の斜視図、図２２（ｂ）は、図２０（ａ）のα断面に対応する断面図である。図２３は、マーカー１００の取り外し方法を示す平面図であり、図２３（ａ）は固定状態、図２３（ｂ）は固定解除状態を示す図である。本実施の形態２に示す取り外し方法では、概略的に、初めにマーカー１００を固定解除方向（本実施の形態２では、マーカー１００のＸ−Ｘ’方向及びＹ−Ｙ’方向における中心を軸として、水平面に沿って回転する方向。図２１（ａ）の矢印参照。）へ動かすことにより、第一固定部（隔壁１０ｂ）及び第二固定部（爪部９０）の相互の状態を、固定状態から固定解除状態へと切り換えて（図２３参照）、その後に取り外し（マーカー１００の上方向への引き抜き）を行う。
【００８５】
具体的には、まず、図２０（ａ）の矢印に示すように、マーカー１００を上方（Ｚ方向）に動かす。図２１は、マーカー１００を上方に動かした後の図である。このように動かすと、図２１に示すようにマーカー１００の各溝部６１が隔壁１０に嵌っていない状態となる。なお、図２０（ｂ）に示すように、爪部９０の折り返し部９１の上端から、爪部９０に挟まれた隔壁１０ｂの下端までの間には若干の余裕があるため、マーカー１００の上方への移動が隔壁１０ｂに阻害されることはない。
【００８６】
続いて、図２１（ａ）の矢印に示すように、本体部６０を把持してマーカー１００全体を水平面に沿って回転させる。図２２は回転後の図である。なお、回転方向はどちらでも構わないが、本実施の形態２では反時計回りに回転させた場合を図示している。このように本体部６０を回転させると、図２２（ｂ）に示すように、本体部６０と一体に形成された爪部９０の折り返し部９１も同様に回転し、折り返し部９１の上方に隔壁１０ｂが位置しない状態（固定解除状態）となる。最後に、マーカー１００を上方（図２２（ａ）の矢印の方向に引き抜くことにより、マーカー１００を取り外すことが可能である。
【００８７】
このように、本実施の形態２では、マーカー１００に対して設置面と直交する直交方向（上方向）とは異なる固定解除方向（図２１（ａ）の反時計回りの方向）への力が作用した際には、第一固定部（隔壁１０ｂ）及び第二固定部（爪部９０）の相互の状態は、固定状態から固定解除状態に切り換わる。
【００８８】
（実施の形態２の効果）
このように、本実施の形態２の取付構造によれば、マーカー１００を植物保護材５に対して回転させることにより、爪部９０及び隔壁１０ｂの相互の状態が固定状態と固定解除状態とに切り換わるので、極めて簡素な動作で固定状態と固定解除状態とを切換えできる。
【００８９】
（実施の形態３）
続いて、実施の形態３について説明する。本実施の形態３は、概略的に、マーカー１００を水平面に沿って平行移動（スライド）させることにより、植物保護材５に取り付けたり、植物保護材５から取り外したりする取付構造に関する。なお、実施の形態３の構成は、特記する場合を除いて実施の形態２の構成と略同一であり、実施の形態２の構成と略同一の構成についてはこの実施の形態２で用いたのと同一の符号を必要に応じて付して、その説明を省略する。
【００９０】
（構成−マーカー）
本実施の形態３のマーカー１００は、実施の形態２と同様のマーカー１００と同様のもの（上述した図１８、図１９参照）を用いることができるため、マーカー１００の構成の説明を省略する。
【００９１】
（マーカーの取り外し方法）
続いて、マーカー１００の取り外し方法について詳細に説明する。なお、マーカー１００の取付方法については、当該取り外し方法を逆の手順で行うことにより実施できるため、詳細な説明を省略する。
【００９２】
図２４は、本発明の実施の形態３に係るマーカー１００の取り外し方法の手順１を示す図であり、図２４（ａ）は、マーカー１００の斜視図、図２４（ｂ）は、図２４（ａ）のβ断面における断面図である。また、図２５は、マーカー１００の取り外し方法の手順２を示す図であり、図２５（ａ）は、マーカー１００の斜視図、図２５（ｂ）は、図２４（ａ）のβ断面に対応する断面図である。また、図２６は、マーカー１００の取り外し方法の手順３を示す図であり、図２６（ａ）は、マーカー１００の斜視図、図２６（ｂ）は、図２４（ａ）のβ断面に対応する断面図である。図２７は、マーカー１００の取り外し方法を示す平面図であり、図２７（ａ）は固定状態、図２７（ｂ）は固定解除状態を示す図である。本実施の形態３に示す取り外し方法では、概略的に、初めにマーカー１００を固定解除方向（本実施の形態３では、Ｘ’方向。図２５（ａ）の矢印参照。）へ動かすことにより、第一固定部（隔壁１０ｂ）及び第二固定部（爪部９０）の相互の状態を、固定状態から固定解除状態へと切り換えて（図２７参照）、その後に取り外し（マーカー１００の上方向への引き抜き）を行う。
【００９３】
具体的には、まず、図２４（ａ）の矢印に示すように、マーカー１００を上方（Ｚ方向）に動かす。図２５は、マーカー１００を上方に動かした後の図である。このように動かすと、図２５に示すようにマーカー１００の各溝部６１が隔壁１０に嵌っていない状態となる。なお、図２４（ｂ）に示すように、爪部９０の折り返し部９１の上端から、爪部９０に挟まれた隔壁１０ｂの下端までの間には若干の余裕があるため、マーカー１００の上方への移動が隔壁１０ｂに阻害されることはない。
【００９４】
続いて、図２５（ａ）の矢印に示すように、本体部６０を把持してマーカー１００全体をスライドさせる。図２６はスライド後の図である。なお、スライドさせる方向は、爪部９０の折り返された方向と反対方向であり、本実施の形態３ではＸ’方向）にスライドさせる。このように本体部６０をＸ’方向にスライドさせると、図２６（ｂ）に示すように、本体部６０と一体に形成された爪部９０の折り返し部９１も同様にＸ’方向にスライドし、折り返し部９１の上方に隔壁１０ｂが位置しない状態（固定解除状態）となる。最後に、マーカー１００を上方（図２６（ａ）の矢印の方向に引き抜くことにより、マーカー１００を取り外すことが可能である。
【００９５】
このように、本実施の形態３では、マーカー１００に対して設置面と直交する直交方向（上方向）とは異なる固定解除方向（図２５（ａ）のＸ’方向）への力が作用した際には、第一固定部（隔壁１０ｂ）及び第二固定部（爪部９０）の相互の状態は、固定状態から固定解除状態に切り換わる。
【００９６】
（実施の形態３の効果）
このように、本実施の形態３の取付構造によれば、マーカー１００を植物保護材５に対してスライドさせることにより、爪部９０及び隔壁１０ｂの相互の状態が固定状態と固定解除状態とに切り換わるので、極めて簡素な動作で固定状態と固定解除状態とを切換えできる。
【００９７】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００９９】
（寸法や材料について）
発明の詳細な説明や図面で説明した植物保護システム１の各部の寸法、形状、材料、比率等は、あくまで例示であり、その他の任意の寸法、形状、材料、比率等とすることができる。例えば、植物保護材５やマーカー８、１００等の形状や構造等は単なる一例に過ぎない。
【０１００】
（隔壁について）
各実施の形態においては、隔壁１０を六角筒形状のハニカム構造としたが、これに限らず、様々な形状に隔壁１０を形成して構わない。また、植物９の種類によって隔壁１０の形状や厚みを適したものに変更しても構わず、例えばコケ植物を用いる場合には、隔壁１０や植栽部４を薄くしても構わない。
【０１０１】
（円形孔及び矩形孔について）
各実施の形態においては、下面材２０は円形孔２１及び矩形孔２２を有するものとして説明したが、植栽部４に生育する植物９の量や、植物保護材５の設置場所の水はけによっては、これらの孔のいずれかを省略しても構わない。また、各実施の形態においては、植栽部４に生育した植物９が円形孔２１及び矩形孔２２を介して空隙部５０に至る構造としたが、これに限らず、植栽部４を下面材２０の上面に直接植栽しても良い。例えば、コケ植物のように根を生やさない植物であれば、下面材２０の上面に直接植栽が可能である。この場合には、円形孔２１及び矩形孔２２を省略しても構わない。
【０１０２】
また、各実施の形態においては、円形孔２１及び矩形孔２２の両方に対して植物９の種を蒔くものとして説明するが、いずれか一方にのみ種を蒔いても構わない。特に、矩形孔２２から植物９が生長して下切欠き１３を塞いでしまうと、円形孔２１に植栽された植物９が下切欠き１３を介して他の空隙部５０に至る生長を阻害してしまう可能性がある場合には、矩形孔２２には植物９を植栽しなくても構わない。
【０１０３】
（空隙部について）
各実施の形態においては、空隙部５０には植栽部４を充填しないものとして説明したが、空隙部５０に植栽部４を充填しても構わない。この場合においても、隔壁１０が上切欠き１２及び下切欠き１３を有していることにより、以下のような効果を奏する。
【０１０４】
まず、上切欠き１２の効果としては、踏圧や輪荷重で植物９の上端が倒された場合、植物９の上端が上切欠き１２の中の植栽部４に沈み込むため、上切欠き１２が存在しない場合（すなわち、植物９が隔壁１０に直接当接する場合）と比べて、植物９の上端の損傷を防止することができる。また、上述したコウライシバ等の匍匐茎で増殖する品種を用いた際に、踏圧や輪荷重がかかった場合であっても、匍匐茎が上切欠き１２の中の植栽部４に沈み込むため、同様に匍匐茎の損傷を防止できる。
【０１０５】
また、下切欠き１３の効果としては、植物９の根が下切欠き１３を介して隣の空隙部５０に至るように伸長でき、また、当該空隙部５０の下方の円形孔２１や矩形孔２２を介して下面材２０のさらに下方に至るように伸長でき、養水分の吸収が可能な根域が広がり、植物９が健全に生長できる。
【０１０６】
（集水板について）
各実施の形態においては、植栽部４と路床２との相互間に集水板６を配置したが、水の再利用を行わない場合には、当該集水板６を設けなくても構わない。
【０１０７】
（施工方法について）
各実施の形態においては、植物保護材５を設置した後に植物９の種を植栽部４に蒔くものとして説明したが、これに限られない。例えば植栽部４に植物９の種を蒔いた後に、その上に植物保護材５を載置し、その後に、植物保護材５の上から転圧ローラーで締固めしても構わない。
【０１０８】
（マーカーの用途について）
各実施の形態では、マーカー８、１００を植物保護材５に対して取り付ける目印として利用したが、これに限らず、取付ベースに対して取付部を取り付けたり取り外したりする任意の装置に本願発明の取付構造は適用できる。例えば、取付部に照明装置を設けることにより、並びを任意に変更可能な着脱式照明器具としても構わない。
【０１０９】
（マーカーの形状について）
各実施の形態では、マーカー８、１００の形状は、中央部が隆起した形状としたが、これに限らず、例えばマーカー８、１００の一方の端部（例えば右端部）から対向する端部（例えば左端部）に至る斜面形状であっても良い。また、マーカー８、１００の表面にゴミや汚れが蓄積しない場所に設置する場合（例えば、植物保護材５を、元々斜面の場所や、壁面に設置する場合）等には、マーカー８、１００を平らな形状としても良い。
【０１１０】
（付記）
付記１の取付構造は、設置面に沿って配置される取付ベースであって、第一固定部を有する取付ベースと、前記取付ベースに対して、前記取付ベースを挟む二つの空間のうち一方の空間から、前記設置面と直交する直交方向に沿って取り付けられる取付部であって、前記第一固定部と相互に固定可能な第二固定部を有する取付部と、を備え、前記取付部が前記取付ベースに取り付けられている状態において、前記第一固定部及び前記第二固定部が相互に固定されている固定状態の場合には、前記直交方向に沿って前記取付部の取り外しが不可能であり、前記第一固定部及び前記第二固定部が相互に固定されていない固定解除状態の場合には、前記直交方向に沿って前記取付部の取り外しが可能であり、前記取付部に対して、前記直交方向とは異なる固定解除方向への力が作用した際には、前記第一固定部及び前記第二固定部の相互の状態は、前記固定状態から前記固定解除状態に切り換わる。
【０１１１】
付記２の取付構造は、付記１に記載の取付構造において、前記取付ベースは、前記設置面に沿って設置されるベースパネルであって、前記取付部が取り付けられるベースパネルと、前記ベースパネルから前記直交方向に沿って突出するように設けられた突出部であって、当該突出部の先端が、前記ベースパネルに取り付けられた前記取付部のいずれの部分よりも、前記ベースパネルから離れる向きに突出する突出部と、を備える。
【０１１２】
付記３の取付構造は、付記１又は２に記載の取付構造において、前記設置面は水平面に沿った面であり、前記取付部は、前記取付ベースに対して上方から取り付けられ、前記取付部の上端面の中央部は、上方に向けて隆起した形状である。
【０１１３】
付記４の取付構造は、付記１から３のいずれか一項に記載の取付構造と、前記取付ベースは、前記取付ベースに取り付けられた取付部の周囲を囲繞する囲繞部を備え、
前記取付部と前記囲繞部との間に隙間を有する。
【０１１４】
付記５の取付構造は、付記１から４のいずれか一項に記載の取付構造と、前記取付ベースは、開口部を有する開口パネルを備え、前記第一固定部は、前記取付部から前記取付ベースに向けて突出した爪部であり、前記第二固定部は、前記開口パネルに設けられた前記開口部の縁部であり、前記爪部及び前記縁部の相互の状態は、、前記爪部を前記縁部に係止させることにより前記固定状態となり、前記爪部を前記縁部から係脱させることにより前記固定解除状態となる。
【０１１５】
付記６の取付構造は、付記１から５のいずれか一項に記載の取付構造と、前記取付ベースは、植物が植栽された植栽面に設置される設置パネルであって、前記植物が介在可能な開口である植物介在路を有する設置パネルを備え、前記植物が、前記植栽面から前記植物介在路を介して、前記設置パネルを挟んで前記植栽面と対向する側の空間へと介在可能である。
【０１１６】
（付記の効果）
付記１に記載の取付構造によれば、取付部に対して、直交方向とは異なる固定解除方向への力が作用した際には、第一固定部及び第二固定部の相互の状態は固定状態から固定解除状態に切り換わるので、単に直交方向に沿って取り付け及び取り外しする場合と比べて機構を複雑化でき、取付部が何等かの外的要因により不本意に取り外されてしまう可能性を低減できると共に、摩擦力による固定ではないので、取り付けた向きにさらに押し込まれても摩擦力が強まらず、取り付けた向きにさらに力が作用して取付部が強固に取り付けられてしまうことにより、取付部の取り外しが困難となってしまうことを防止できる。
【０１１７】
付記２に記載の取付構造によれば、突出部の先端が、ベースパネルに取り付けられた取付部のいずれの部分よりも、ベースパネルから離れる向きに突出しているため、突出部によって取付部を保護し、取付部に外的な力が作用することを抑止できるので、取付部が破損してしまったりベースパネルから外れてしまったりすることを防止できる。
【０１１８】
付記３に記載の取付構造によれば、取付部の上端面の中央部は上方に向けて隆起した形状であるので、取付部の上表面に蓄積した汚れやゴミを取付部の側方へと落とすことができ、汚れやゴミで取付部が目立たなくなってしまうことを防止できる。また、上方に向けて隆起した形状により、部材自体の強度を高めることができる。
【０１１９】
付記４に記載の取付構造によれば、取付部と囲繞部との間に隙間を有するので、取付部の表面に蓄積した汚れやゴミを、当該隙間を介して取付部の裏側へと移動させることができ、汚れやゴミで取付部が目立たなくなってしまうことを防止できる。
【０１２０】
付記５に記載の取付構造によれば、爪部及び縁部の相互の状態は、爪部を縁部に係止させることにより固定状態となり、爪部を縁部から係脱させることにより固定解除状態となるので、極めて簡素な動作で固定状態と固定解除状態とを切換えできる。
【０１２１】
付記６に記載の取付構造によれば、取付ベースによって植物を人や自動車の荷重から保護しつつ、取付ベース上に取付部で幾何学デザインや文字、記号等を表現することで、情報伝達や意匠表現を行うことができる。
【符号の説明】
【０１２２】
１  植物保護システム
２  路床
３  車
４  植栽部
５  植物保護材
６  集水板
７  タイヤ止め
７ａ  コンクリートブロック
７ｂ  弾性部材
７ｃ  孔
８  マーカー
９  植物
１０  隔壁
１０ａ  隔壁
１０ｂ  隔壁
１１  単位ブロック
１２  上切欠き
１３  下切欠き
２０  下面材
２１  円形孔
２２  矩形孔
３０  外枠材
４０  連結部
４１  突状連結部
４２  溝状連結部
５０  空隙部
６０  本体部
６１、６１ａ、６１ｂ、６１ｃ、６１ｄ  溝部
６２  係止部
７０  支持部
８０  爪部
８１  折り返し部
８２  傾斜部
９０  爪部
９１  折り返し部
１００  マーカー
ＣＬ  隙間
Ｅｐ  挟持空間
【図１】
0006744124.tif 000002
【図２】
0006744124.tif 000003
【図３】
0006744124.tif 000004
【図４】
0006744124.tif 000005
【図５】
0006744124.tif 000006
【図６】
0006744124.tif 000007
【図７】
0006744124.tif 000008
【図８】
0006744124.tif 000009
【図９】
0006744124.tif 000010
【図１０】
0006744124.tif 000011
【図１１】
0006744124.tif 000012
【図１２】
0006744124.tif 000013
【図１３】
0006744124.tif 000014
【図１４】
0006744124.tif 000015
【図１５】
0006744124.tif 000016
【図１６】
0006744124.tif 000017
【図１７】
0006744124.tif 000018
【図１８】
0006744124.tif 000019
【図１９】
0006744124.tif 000020
【図２０】
0006744124.tif 000021
【図２１】
0006744124.tif 000022
【図２２】
0006744124.tif 000023
【図２３】
0006744124.tif 000024
【図２４】
0006744124.tif 000025
【図２５】
0006744124.tif 000026
【図２６】
0006744124.tif 000027
【図２７】
0006744124.tif 000028